(57)【要約】【課題】  優れた高級感を有し、しかも、重量の上昇を効果的に抑えることのできる家具調コタツを提供する。【解決手段】  家具調コタツ１を、４隅にそれぞれ支持脚部３を配置した中天部５と、この中天部５上に載せる天板部７と、を備えたものとしておく。天板部７を、天板用枠部及び表面プレートから構成し、中天部５を、中天用枠部、中天用枠部の上面を覆う上面プレート及び中天用枠部の下面を覆う下面プレートから構成し、下面プレート側にヒータを取り付ける。中天部５の中天用枠部内に梁材を配置しておく。【選択図】    図１
2007040572.tif 000002
【特許請求の範囲】
【請求項１】
ヒータを有する中天部と、この中天部の４隅を支える支持脚部と、コタツ布団を介して、あるいはコタツ布団を介さずに前記中天部に載せられる天板部と、を具備する家具調コタツであって、
前記中天部は、四角形状に配置された第１の枠材及びこの第１の枠材の内側に配置された梁材を有する第１の枠部と、この第１の枠部の上面を覆う上面プレートと、前記第１の枠部の下面を覆う下面プレートと、を備え、
前記天板部は、四角形状に配置された第２の枠材を有する第２の枠部と、この第２の枠部の上下両面側に取り付けられた表面プレートと、を備え、内部にシート状の補強部材が収容されている、ことを特徴とする家具調コタツ。
【請求項２】
前記梁材は、前記第１の枠材の内側にヒータ収容部を区画するように配置されていて、
前記下面プレートは、前記ヒータ収容部で開口し、前記ヒータはこの下面プレートの前記開口から前記ヒータ収容部に収容されて取り付けられている、ことを特徴とする請求項１記載の家具調コタツ。
【請求項３】
前記第１の枠材は、２つの枠材セグメントを上下に接合して形成され、前記梁材は、２つの梁材セグメントを上下に接合して形成されている、ことを特徴とする請求項１又は２記載の家具調コタツ。
【請求項４】
前記梁材は、前記第１の枠材の内側に付属品収容部を区画するように配置されていて、前記上面プレートは、前記付属品収容部で開口している、ことを特徴とする請求項１、２又は３記載の家具調コタツ。
【発明の詳細な説明】
【技術分野】
【０００１】
本発明は、コタツとしてもテーブルとしても使用できる家具調コタツに関する。
【背景技術】
【０００２】
家具調コタツは、コタツ布団を用いてコタツとして使用されるが、コタツ布団を用いないでテーブルとしても使用できるように構成されている。このような家具調コタツは、例えば特許文献１に記載されているように、ヒータを有する中天部と、この中天部の４隅を支える支持脚部と、コタツ布団を介して、あるいはコタツ布団を介さずに前記中天部に載せられる天板部と、を備えている。中天部は、四角形状に配置されて組み合わされた枠材と、この枠材の内側に配置されて組み合わされた梁材と、から構成されている。
【０００３】
【特許文献１】登録第３０１３７２１号実用新案公報
【発明の開示】
【発明が解決しようとする課題】
【０００４】
しかしながら、特許文献１の家具調コタツでは、中天部が露出した骨格構造となっているので、テーブルとして使用するときに、中天部が天板部で覆われているといっても、重厚感あるいは高級感に欠ける印象を与えやすい。ここで、中天部を中実状のプレート体として形成すれば、重厚感は得られるが、家具調コタツの重量が大幅に上昇する。
【０００５】
また、家具調コタツでは、天板部の重厚性も高級感を与えるために重要であるが、天板部を厚肉にする場合には、中天部もそれに見合った厚さに形成しないと、家具調コタツがアンバランスなものとなってしまう。しかしながら、天板部も中天部もともに厚く形成すると、家具調コタツの重量が大きくなりすぎる。
【０００６】
そこで本発明は、優れた高級感を有し、しかも、重量の上昇を効果的に抑えることのできる家具調コタツの提供を目的とする。
【課題を解決するための手段】
【０００７】
この目的を達成するための本発明の家具調コタツは、ヒータを有する中天部（中板部）と、この中天部の４隅を支える支持脚部と、コタツ布団を介して、あるいはコタツ布団を介さずに前記中天部に載せられる天板部と、を具備する家具調コタツであって、前記中天部は、四角形状に配置された第１の枠材、そして例えばこの第１の枠材の内側に配置された梁材、を有する第１の枠部と、この第１の枠部の上面を覆う上面プレートと、前記第１の枠部の下面を覆う下面プレートと、を備え、前記天板部は、四角形状に配置された第２の枠材を有する第２の枠部と、この第２の枠部の上下両面側に取り付けられた表面プレートと、を備え、例えば内部にシート状の補強部材が収容されているものである。ここでは、中天部を厚板状の外観を備えるように形成できるが、中天部は中空状に、あるいは概略中空状に又は中空部を有して形成されるので、中天部の重量が過大となることはない。梁材を設ければ、この梁材は中天部を補強する。また、天板部も中空状に、あるいは概略中空状に又は中空部を有して形成されるので、天板部を厚く形成しても重量が過大となることはない。中天部は、例えば天板部のほぼ２倍の厚さを有するように形成される。天板部の中空内部にシート状の補強部材を収容すれば、高い強度が確保される。ヒータは、例えば上端が下面プレートの裏面に固定されて取り付けられる。
【０００８】
梁材は、第１の枠材の内側にヒータ収容部を区画するように配置することができる。そして、下面プレートを、ヒータ収容部で開口するように形成し（ヒータ収容部で開口して開口を有するように形成し）、ヒータをこの下面プレートの前記開口から前記ヒータ収容部に収容して取り付けることができる。ヒータは、下端部が下面プレートから下側に突出するように、あるいは、下端面が下面プレートの下面と同一又はほぼ同一高さ位置となるように、または、上端側がヒーター収容部内に入り込むように、ヒータ収容部に収容されて取り付けられる。これにより、簡単な構成で、ヒータの中天部から下側への突出量を小さくすることができる。
【０００９】
第１の枠材を、２つの枠材セグメントを上下に接合して形成し、梁材を、２つの梁材セグメントを上下に接合して形成することにより、十分な厚さの中天部を簡単に構成することができる。
【００１０】
梁材を、第１の枠材の内側に付属品収容部を区画するように配置し、上面プレートを、付属品収容部で開口するように形成することができる。このように構成すれば、テーブルとして使用するときに不必要となるヒータの電源コードなどの附属品を、テーブルに、かつ、外部から見えないように、収納しておくことができる。
【発明の効果】
【００１１】
以上説明したように、本発明の家具調コタツは、重厚な高級感を有するものでありながら、軽量に構成することができるものである。
【００１２】
以下、本発明を実施するための形態を図面を参照して説明する。
【００１３】
図１は本発明に係る家具調コタツの斜視図、図２は天板部の分解斜視図、図３は中天部の分解斜視図、図４はヒータ部分の構造を説明する図である。
【００１４】
家具調コタツ１は、４隅がそれぞれ支持脚部３で支えられた長方形状の中天部５上に、中天部５とほぼ同一の長方形状の天板部７を載せることにより構成されていて、天板部７は、コタツとして使用する場合には、コタツ布団を介して中天部５上に載せられ、テーブルとして使用する場合には、中天部５上に直接載せられる（図１の状態）。
【００１５】
天板部７は、天板用角材（第２の枠材）９を組み合わせて形成された長方形状の天板用枠部（第２の枠部）１１と、この天板用枠部１１内に配置されたハニカム紙１３と、天板用枠部１１の上下両面側に固定して設けられた表面プレート１５、１５と、から構成されていて、天板用枠部１１の角部内側には、天板用枠部１１（天板用角材９）と同一又はほぼ同一の厚みを有する正方形状の補強駒１７が固定されている。ハニカム紙１３は、補強駒１７が設けられた天板用枠部１１の内側形状と同一又はほぼ同一に形成され、天板用枠部１１（天板用角材９）と同一又はほぼ同一の厚みを有している。
【００１６】
中天部５は、中天用角材（第１の枠材）２１を組み合わせて形成された長方形状の中天用枠部（第１の枠部）２３と、この中天用枠部２３の上面側に固定して設けられた、中天用枠部２３の上面を覆う上面プレート２５と、中天用枠部２３の下面側に固定して設けられた、中天用枠部２３の下面を覆う下面プレート２７と、から構成されていて、下面プレート２７側にヒータ２９が取り付けられている。中天用枠部２３には、枠部２３内を長辺方向で三等分又はほぼ三等分するように、２本の縦梁角材（梁材）３１、３１が長辺側の中天用角材２１、２１（横角材２１、２１）間に固定されて配置されていて、この２本の縦梁角材３１、３１間には、一方の横角材２１の側に偏って横梁角材（梁材）３３が組み合わされて固定されている。中天用角材２１と梁角材３１、３３とは同一又はほぼ同一の厚みを有している。また、中天用枠部２３の角部内側には、中天用枠部２３（中天用角材２１）と同一又はほぼ同一の厚みを有する正方形状の補強駒３５が固定されている。
【００１７】
中天用角材２１はそれぞれ、同一形状の２枚の薄板材（枠材セグメント）３７、３７を上下に接着することにより形成され、梁角材３１、３３もそれぞれ、
同一形状の２枚の薄板材（梁材セグメント）３９、３９、４１、４１を上下に接着することにより形成されている。中天用角材２１は、天板用角材の２倍又はほぼ２倍の厚みを有している。
【００１８】
上面プレート２５には、縦梁角材３１、３１、横梁角材３３及び一方の横角材２１により中天用枠部２３内に区画された附属品収容部４３に対応して、収容開口４５が形成されていて、収容開口４５は、附属品収容部４３と同一又はほぼ同一の形状（平面形状）を有している。また、下面プレート２７には、縦梁角材３１、３１、横梁角材３３及び他方の横角材２１により中天用枠部２３内に区画されたヒータ収容部４７に対応して、取り付け開口４９が形成されていて、取り付け開口４９は、ヒータ収容部４７と同一又はほぼ同一の形状（平面形状）を有している。
【００１９】
ヒータ２９には側面部に複数の取り付け片５１が設けられていて、この取り付け片５１が、例えばボルトネジにより、下面プレート２７の裏面の取り付け開口４９周縁部に固定されることにより、ヒータ２９は、下端部が下面プレート２７の裏面から下側に若干突出する状態で、ヒータ収容部４７内に収容されて下面プレート２７に取り付けられている。ヒータ２９は、横梁角材３３に隣接するようにヒータ収容部４７内に収容されて中天部５の中央に位置している。なお、ヒータ収容部４７には、ヒータ２９と他方の横角材２１との間にスペースが形成されている。
【００２０】
天板部７の４隅はアール状に形成されているが、中天部５の４隅は、縦方向及び横方向と交わる方向に延びる（例えば縦方向及び横方向と４５度の角度をなす）平面（隅部外面５３参照）によって角が切り落とされたような形状を有している。
【００２１】
図５は支持脚部３の詳細を示すための斜視図、図６は支持脚部３による中天部５の支持構造を説明する図である。  
【００２２】
支持脚部３は、３枚の脚部用プレート５５、５７、５９を厚さ方向に接着することにより形成されていて、断面弓形状の外側部６１と、断面長方形状の内側部６３と、を有している。支持脚部３の上端部では、外側部６１が内側部６３よりも、中天部５の厚み分又はほぼ厚み分だけ上方に突出していて、内側部６３の支持上端面６５と、内側部６３よりも上方に突出している外側部６１の部分の支持内面６７と、により支持受け部６９が形成されている。内側部６３の内面には、高さ方向全長にわたってＶ字状の接続溝７１が設けられていて、支持脚部３に巻き付けるように貼り付けられた化粧紙（特に図５では図示せず）の両端部をこの接続溝７１内に入り込ませることにより、化粧紙の端部がめくれ上がらないようにしている。なお、通常は、中天部５及び天板部７にも化粧紙が貼り付けられるが、特に図２及び図３では図示されていない。
【００２３】
中天部５は、隅部外面５３（図６（ａ）参照：図６（ａ）は中天部５と支持脚部３とを分離して示す図）が支持内面６７と接触状態（接触直前の状態を含む）となり、隅部裏面が支持上端面６５上に載るように、隅部が支持脚部３の支持受け部６９内に配置され、支持受け部６９に固定されることにより、支持脚部３により支持されている（図６（ｂ）参照：図６（ｂ）は中天部５に支持脚部３を固定して示す図）。隅部外面５３と支持内面６７とは同一の又はほぼ同一の長方形状を有している。中天部５の隅部は、隅部に設けられたボルト孔（例えば、中天部５を組み立てた後に開けられる）にボルト７３を通し、支持上端面６５に形成されたネジ孔７５にネジ込むことにより、支持受け部６９に固定されている。なお、図５中符号７７はダボ穴を示している。
【産業上の利用可能性】
【００２４】
本発明の家具調コタツは、比較的安価に製造できるものでありながら、十分な高級感を演出するものである。
【図面の簡単な説明】
【００２５】
【図１】本発明に係る家具調コタツの斜視図である。
【図２】天板部の分解斜視図である。
【図３】中天部の分解斜視図である。
【図４】ヒータ部分の構造を説明する図である。
【図５】支持脚部の詳細を示すための斜視図である。
【図６】支持脚部による中天部の支持構造を説明する図である。
【符号の説明】
【００２６】
１                  家具調コタツ
３                  支持脚部
５                  中天部
７                  天板部
９                  天板用角材（第２の枠材）
１１                天板用枠部（第２の枠部）
１５                表面プレート
２１                中天用角材（第１の枠材）
２３                中天用枠部（第１の枠部）
２５                上面プレート
２７                下面プレート
【図１】
2007040572.tif 000003
【図２】
2007040572.tif 000004
【図３】
2007040572.tif 000005
【図４】
2007040572.tif 000006
【図５】
2007040572.tif 000007
【図６】
2007040572.tif 000008